(57)【要約】      （修正有）【課題】少ない部品点数の構造にてチェーンがシリコン樹脂、ゴム等の弾性体に取り囲まれない機構にてチェーン上を所望の位置までスライドさせることができる装飾体を提供する。【解決手段】スライド機能を有する装飾体は、略半殻体と、弾性体の環３と、からなる構成にて、略半殻体は、装飾を可能とした正面部と、背面開口部内に互いに対向する一対の柱部６、６ａと、側壁に弾性体の環の厚みが１／２〜１／４見える位置に互いに対向する二組の装身用チェーン７を貫通させる該チェーンの径より若干大きくした貫通孔８、８ａ、９、９ａとを備えて形成し、弾性体の環は、前記背面開口部内に前記一対の柱部を囲むように挿入して配置した後、略半殻体の側壁に設けた貫通孔に装身用チェーンを貫通させてなるものである。【選択図】図３
0003107240.tif 000002
【実用新案登録請求の範囲】
【請求項１】
装身用チェーン上を所望の位置までスライドさせることができる装飾体において、装飾体は、略半殻体と、弾性体の環と、からなる構成にて、略半殻体は、装飾を可能とした正面部と、背面開口部内に互いに対向する一対の柱部と、側壁に弾性体の環の厚みが１／２〜１／４見える位置に互いに対向する二組の装身用チェーンを貫通させる該チェーンの径より若干大きくした貫通孔とを備えて形成し、弾性体の環は、前記背面開口部内に前記一対の柱部を囲むように挿入して配置した後、略半殻体の側壁に設けた貫通孔に装身用チェーンを貫通させてなることを特徴とするスライド機能を有する装飾体。
【請求項２】
装身用チェーン上を所望の位置までスライドさせることができる装飾体において、装飾体は、略半殻体と、弾性体の環と、裏蓋からなる構成にて、略半殻体は、装飾を可能とした正面部と、側壁に弾性体の環の厚みが１／２〜１／４見える位置に互いに対向する一組乃至二組の装身用チェーンを貫通させる該チェーンの径より若干大きくした貫通孔とを備えて形成し、弾性体の環を前記背面開口部内に配置した後、裏蓋を背面部に配置して略半殻体の側壁に設けた貫通孔に装身用チェーンを貫通させてなることを特徴とするスライド機能を有する装飾体。
【考案の詳細な説明】
【技術分野】
【０００１】
本考案は、装身用チェーンに取り付けて装飾目的及び所望の位置までスライドさせて、ネックレスの輪体の大きさを容易に変えられるスライド機能を有する装飾体に関するものである。
【背景技術】
【０００２】
従来、所望の位置までスライドさせて装飾チェーンの輪の大きさを自在に変えることができる構造として、貫通させる装飾チェーンの直径より僅かに小さな孔が穿設された弾性力を有する弾性体を用いて止め具（装飾体）の背面に１ヶ〜２ヶ配置して装飾チェーンの所望位置に係止できる装飾用チェーンの止め具として、ヘッド部はチェーン途中を摺動自在に貫通させるためのボックスを設け、このボックスには上下方向に通る偏平な孔を２個並べて設け、さらに、孔内にシリコン樹脂またはゴムによる樹脂またはゴム管を配設して前記各チェーン途中はこの樹脂またはゴム管を挿通するようにしたアクセサリーがある（例えば特許文献１参照。）。
【０００３】
また、外殻体と複数の弾性体とを備え、前記外殻体には一対の透孔を対向位置に設けると共に、取り付け部を設け、前記弾性体は、透孔より大きく形成し、弾性変形で透孔を通過して外殻体内に配置できるよう形成し、複数の弾性体によって囲繞する空間を、紐・チェーン類を弾性圧迫可能となる囲繞空間部とし、これは透孔より小さく形成し、一対の透孔を結ぶ線上に略位置させて構成した止め具がある（例えば特許文献２参照。）。
【０００４】
以上述べたように貫通孔を有するシリコン樹脂、ゴム等の弾性体を用いてスライドさせる従来の機構として、特許文献１記載の発明に代表されるように、貫通させるチェーンより貫通孔を僅かに小さくした弾性体にチェーンを貫通させることにより、弾性体がチェーンを取り囲み、弾性体の弾性力による摩擦にて所望の位置までスライドさせる機構が多く用いられている。
【０００５】
また、特許文献２記載の考案は、外殻体の中に略球状の弾性体を複数個配置して、該弾性体の外周面によって孔を形成して、弾性体の弾性力による摩擦を利用するもので、結果として特許文献１と同じく弾性体が紐、チェーン類を取り囲む機構である。
【０００６】
【特許文献１】特許第３４２３６５６号公報
【特許文献２】登録実用新案第３０８６８３６号公報
【考案の開示】
【考案が解決しようとする課題】
【０００７】
前記事項を鑑み、少ない部品点数の構造にてチェーンがシリコン樹脂、ゴム等の弾性体に取り囲まれない機構にて、チェーン上を所望の位置までスライドさせることができる装飾体の提供を目的とした。
【課題を解決するための手段】
【０００８】
前記目的を達成するため、本考案のスライド機能を有する装飾体は、略半殻体と、弾性体の環と、からなる構成にて、略半殻体は、装飾を可能とした正面部と、背面開口部内に互いに対向する一対の柱部と、側壁に弾性体の環の厚みが１／２〜１／４見える位置に互いに対向する二組の装身用チェーンを貫通させる該チェーンの径より若干大きくした貫通孔とを備えて形成し、弾性体の環は、前記一対の柱部を囲むように挿入して前記背面開口部内に配置した後、略半殻体の側壁に設けた対向する二組の貫通孔に装身用チェーンを貫通させることにより、弾性体の環の側面と、貫通孔の内壁面にて装身用チェーンが弾性体の環の弾性にて挟まれ、装身用チェーン上を所望の位置までスライド可能とした。
【０００９】
また、第二の手段として、側壁に弾性体の環の厚みが１／２〜１／４見える位置に一組乃至二組の装身用チェーンを貫通させる貫通孔とを備えて形成し、弾性体の環を前記背面開口部内に配置した後、裏蓋を背面部に配置して略半殻体の側壁に設けた貫通孔に装身用チェーンを貫通させてなるものである。
【００１０】
本考案によれば、略半殻体の側壁に設けた対向する二組の貫通孔に装身用チェーンを貫通させることにより、弾性体の環の側面と、貫通孔の内壁面にて装身用チェーンが弾性体の環の弾性にて挟まれ、装身用チェーン上を所望の位置までスライド可能としたことを要旨とする。
【考案の効果】
【００１１】
本考案のスライド機能を有する装飾体は、略半殻体と、弾性体の環と、からなる部品点数の少ない構成にて構造を単純にしたことにより、装飾体の組み立てが容易であり、そして、略半殻体の形状も特定しないデザイン性に富んだ装飾体となった。また、好みによっては裏蓋を用いることも可能であり、選択範囲の広い商品の提供が可能となった。
【考案を実施するための最良の形態】
【００１２】
以下、図面を用いて本考案の実施形態を詳細に説明する。図１は、本考案のスライド機能を有する装飾体の一実施例の構成を示す部品の概念図であり、図２は、図１の部品を組み込み、装身用チェーンを貫通した一実施例を示す斜視図であり、図３〜図６は図２の正面図、右側面図、背面図、Ａ−Ａ線断面図を示し、図７は、スライド機能を有する装飾体の背面に裏蓋を用いた一実施例の構成を示す部品の概念図で、図８は、図７にてスライド機能を有する装飾体の右側面図を示す。
【００１３】
図１（ｂ）に示すスライド機能を有する装飾体を構成する略半殻体２は、装飾を可能とした正面部４と、背面開口部５内に互いに対向する一対の柱部６、６ａと、側壁に弾性体の環３の厚みが１／２〜１／４見える位置に互いに対向する二組の装身用チェーン７を貫通させる該チェーンの径より若干大きくした貫通孔８、８ａと９、９ａとを設けて形成し、正面部４に孔１１と石留め爪１４、１４ａ設けて（背面からは見えない）宝石１２を石留めした。
【００１４】
図１（ａ）に示す弾性体の環３は、今回はシリコンゴムのＯリングを用いたが、弾性が得られる引き裂き強度のあるＯリングであれば材質的には限定するものではなく、留意点として、背面開口部５内に設けた一対の柱部を囲むように挿入して配置した時に前記貫通孔８などより弾性体の環の厚みが１／２〜１／４見える厚さの物を用いることである。
【００１５】
図２は、前記部品を組み込み、貫通孔８、８ａと９、９ａに装身用チェーン７を貫通させたスライド機能を有する装飾体１を示し、図３〜図６にて弾性体の環３の側面と、貫通孔８、８ａと９、９ａの内壁面にて装身用チェーン７が弾性体の環３の弾性にて挟まれて装身用チェーン７上をスライド可能とした。
【００１６】
図７は、前記スライド機能を有する装飾体に裏蓋を用いた一実施例の構成を示す部品の概念図で、図７（ｅ）は、図１（ｂ）に示す略半殻体２の背面開口部５内に設けた一対の柱部６、６ａ先端に裏蓋固定爪１５、１５ａを設けて形成し、図７（ｄ）は、図１（ａ）と同じ弾性体の環３を用いた。
【００１７】
図７（ｃ）の裏蓋１０は、固定穴１６、１６ａを有し、裏蓋固定爪１５、１５ａが裏蓋１０の固定穴１６、１６ａを貫くように背面開口部４側に配置した後、裏蓋固定爪１５、１５ａの先端を溶かして膨突させ成形することで外観も損なわれることなく裏蓋１０にて背面開口部５内を見えないように構成させた。
【００１８】
図９は、請求項２に係わる一実施例の構成を示す概念図で、図９（ｈ）略半殻体２１は、
装飾を可能とした正面部２３と、背面開口部２４の内壁に一対のパイプ状爪保持部２５を設けると共に該爪保持部２５の先端に裏蓋固定爪２５ａを差し込んで溶接乃至接着にて固定し、側壁に弾性体の環２２の厚みが１／２〜１／４見える位置に二組の装身用チェーンを貫通させる貫通孔２７、２７ａと２８、２８ａとを設けて形成した。
【００１９】
図９（ｇ）の弾性体の環２２は、前記に説明した請求項１に説明した物と同じ材質の物を用い、留意点として、背面開口部２４内径より若干径が小さく、配置した時に前記貫通孔２７などより弾性体の環２２の厚みが１／２〜１／４見える厚さの物を用いることである。
【００２０】
図９（ｆ）の裏蓋２０には固定穴２６、２６ａを設けて形成、そして、（ｆ）、（ｇ）、（ｃ）の部品を組み合わせた背面図１０より、一対の裏蓋固定爪２５ａが裏蓋２０の固定穴２６、２６ａを貫くように背面開口部２４側に配置した後、裏蓋２０より突出している一対の裏蓋固定爪２５ａの先端部分を折り曲げ成形することで裏蓋２０を固定出来る。
【図面の簡単な説明】
【００２１】
【図１】本考案のスライド機能を有する装飾体の構成を示す部品の概念図である。
【図２】図１の部品を用いてスライド機能を有する装飾体に装身用チェーンを貫通させた一実施例を示す斜視図である。
【図３】図２のスライド機能を有する装飾体の正面図を示す。
【図４】図２の右側面図を示す。
【図５】図２の背面図を示す。
【図６】図３Ａ−Ａ線断面図を示す。
【図７】請求項１に係わるスライド機能を有する装飾体に裏蓋を用いた一実施例の構成を示す部品の概念図である。
【図８】図７にて部品を組み合わせて形成したスライド機能を有する装飾体の右側面図を示す。
【図９】請求項２に係わる一実施例の構成を示す概念図である。
【図１０】図９にてスライド機能を有する装飾体を構成させた背面図を示す。
【符号の説明】
【００２２】
１    装飾体
２    略半殻体
３    弾性体の環
４    正面部
５    背面開口部
６    柱部
６ａ  柱部
７    装身用チェーン
８    貫通孔
８ａ  貫通孔  
９    貫通孔
９ａ  貫通孔
１０    裏蓋
１１    孔
１２    宝石
１３    キューレット
１４    石留め爪
１４ａ  石留め爪
１５    裏蓋固定爪
１５ａ  裏蓋固定爪
１６    固定穴
１６ａ  固定穴
２０    裏蓋
２１    略半殻体
２２    弾性体の環
２３    正面部
２４    背面開口部
２５    爪保持部
２５ａ  裏蓋固定爪
２６    固定穴
２６ａ  固定穴
２７    貫通孔
２７ａ  貫通孔
２８    貫通孔
２８ａ  貫通孔
【図１】
0003107240.tif 000003
【図２】
0003107240.tif 000004
【図３】
0003107240.tif 000005
【図４】
0003107240.tif 000006
【図５】
0003107240.tif 000007
【図６】
0003107240.tif 000008
【図７】
0003107240.tif 000009
【図８】
0003107240.tif 000010
【図９】
0003107240.tif 000011
【図１０】
0003107240.tif 000012